(57)【要約】【課題】高倍速記録をする場合であっても電子透かし検出を低速で行う記録装置および再生装置を提供することを目的とする。【解決手段】コンテンツを再生する再生手段と、前記再生手段のコンテンツ出力を圧縮暗号化する圧縮暗号化手段と、前記再生手段のコンテンツ出力に基いて電子透かしの検出に必要な時間分のデータを抽出する電子透かし検出用データ抽出手段と、前記電子透かし検出用データ抽出手段の出力を格納する電子透かし検出用データ格納メモリと、前記電子透かし検出用データ格納メモリの出力に基いて電子透かしを検出する電子透かし検出手段と、前記電子透かし検出手段の出力に基いて前記圧縮暗号化手段の出力を記録媒体に記録する記録手段と、を有する。【選択図】図１
2008204577.tif 000002
【特許請求の範囲】
【請求項１】
コンテンツを再生する再生手段と、
前記再生手段のコンテンツ出力を圧縮暗号化する圧縮暗号化手段と、
前記再生手段のコンテンツ出力に基いて電子透かしの検出に必要な時間分のデータを抽出する電子透かし検出用データ抽出手段と、
前記電子透かし検出用データ抽出手段の出力を格納する電子透かし検出用データ格納メモリと、
前記電子透かし検出用データ格納メモリの出力に基いて電子透かしを検出する電子透かし検出手段と、
前記電子透かし検出手段の出力に基いて前記圧縮暗号化手段の出力を記録媒体に記録する記録手段と、
を有する記録装置。
【請求項２】
コンテンツを再生しコンテンツからトラック長を抽出するコンテンツ再生手段と、
前記コンテンツ再生手段のコンテンツ出力を圧縮暗号化する圧縮暗号化手段と、
前記コンテンツ再生手段のコンテンツ出力に基いて電子透かしの検出に必要な時間分のデータを抽出する電子透かし検出用データ抽出手段と、
前記電子透かし検出用データ抽出手段の出力を格納する電子透かし検出用データ格納メモリと、
前記コンテンツ再生手段のトラック長出力と圧縮暗号化処理の速度と電子透かしの検出に必要な時間に基いて算出される速度で電子透かし検出用データ格納メモリの出力に基いて電子透かし検出を行う電子透かし検出手段と、
前記電子透かし検出手段の出力に基いて前記圧縮暗号化手段の出力を記録媒体に記録する記録手段と
を備えた記録装置。
【請求項３】
コンテンツを再生する再生手段と、
前記再生手段のコンテンツ出力に基いて電子透かしの検出に必要な時間分のデータを抽出する電子透かし検出用データ抽出手段と、
前記電子透かし検出用データ抽出手段の出力を格納する電子透かし検出用データ格納メモリと、
前記電子透かし検出用データ格納メモリの出力に基いて電子透かしを検出する電子透かし検出手段と、
前記電子透かし検出手段の出力に基いて前記再生手段の動作を制御する制御手段と、
を備えた再生装置。
【請求項４】
コンテンツを再生しコンテンツからトラック長を抽出するコンテンツ再生手段と、
前記コンテンツ再生手段のコンテンツ出力に基いて電子透かしの検出に必要な時間分のデータを抽出する電子透かし検出用データ抽出手段と、
前記電子透かし検出用データ抽出手段の出力を格納する電子透かし検出用データ格納メモリと、
前記コンテンツ再生手段のトラック長出力と圧縮暗号化処理の速度と電子透かしの検出に必要な時間に基いて算出される速度で電子透かし検出用データ格納メモリの出力に基いて電子透かし検出を行う電子透かし検出手段と、
前記電子透かし検出手段の出力に基いて前記コンテンツ再生手段の動作を制御する制御手段と、
を備えた再生装置。
【発明の詳細な説明】
【技術分野】
【０００１】
本発明は、電子透かし（ウォーターマーク）技術を利用して、ディジタルコンテンツを高倍速で記録または再生する装置に関するものである。
【背景技術】
【０００２】
近年ＡＶ機器のディジタル化が進むに伴い、コンテンツの品質を劣化させることなく複製することが可能になった。しかし、著作権のあるコンテンツを無制限に複製することは著作権保持者の権利を侵害する恐れがある。ＡＶ機器としても適切な著作権保護機能を持つことが要望されている。
【０００３】
ディジタルオーディオ機器の複製制御としては、１９８０年代から、シリアルコピーマネジメントシステム（以下ＳＣＭＳと略称する）が広く使用されている。ＳＣＭＳは、ＣＤ、ＭＤや放送電波などのメディアにコンテンツとともに複製制御情報を記録しておき、同一筐体内、あるいは、異なる機器間をディジタルインターフェイスを介して接続してコンテンツを複製する場合に、被複製コンテンツの複製制御情報に従って複製の可否制御を行うものである。ＳＣＭＳはＭＤなどの民生用録音機器では一定の効果を上げている。
【０００４】
しかし、ＳＣＭＳでは複製制御情報をコンテンツと独立したディジタルデータとして持つ。このため、アナログ伝送の場合には複製制御情報が伝送できず、複製制御もできない。また、パーソナルコンピュータなどを用いると容易に複製制御情報を無効化できる。
このようなＳＣＭＳの問題点を踏まえて、ＤＶＤやＳＤ（Ｓｅｃｕｒｅ  Ｄｉｇｉｔａｌ）メモリカード用オーディオ規格（以下ＳＤオーディオと省略する）の著作権保護システムであるＣｏｎｔｅｎｔ  Ｐｒｏｔｅｃｔｉｏｎ  ｆｏｒ  Ｐｒｅｒｅｃｏｒｄｅｄ  Ｍｅｄｉａ規格、及びＣｏｎｔｅｎｔ  Ｐｒｏｔｅｃｔｉｏｎ  ｆｏｒ  Ｒｅｃｏｒｄａｂｌｅ  Ｍｅｄｉａ規格（以下ＣＰＲＭ、ＣＰＰＭと省略する）では、電子透かしを利用した複製制御方式が採用されている。また、音楽業界、コンピュータ業界、民生エレクトロニクス業界などが参加して決めたＳＤＭＩ（Ｓｅｃｕｒｅ  Ｄｉｇｉｔａｌ  Ｍｕｓｉｃ  Ｉｎｉｔｉａｔｉｖｅ）規格でも電子透かしを用いた複製制御・再生制御方式が提案されている。ＣＰＰＭ、ＣＰＲＭ、ＳＤＭＩで用いられている電子透かし技術は、リニアＰＣＭ形式のディジタルオーディオデータに１２ビットの情報を電子透かしとして埋め込むことができる。このうち複製制御に用いられるのは２ビットで、「複製自由」、「一世代複製可」および「複製禁止」の３つの状態を示す。２ビットであるから４状態を示すことができるが、残りの１つは使用禁止となっている。
【０００５】
電子透かしは所定時間長（ＳＤＭＩ、ＣＰＲＭ、ＣＰＰＭの場合は１５秒）のリニアＰＣＭ形式のディジタルオーディオデータを所定の信号処理することで検出される。コンテンツがＭＰ３などに圧縮されている場合には、リニアＰＣＭにデコードした後、電子透かし検出を行う。アナログ信号もＡＤコンバータでリニアＰＣＭに変換すれば、電子透かしを検出できる。電子透かし検出結果は、まず電子透かしが検出された・されないの２種類がある。さらに電子透かしが検出された場合には、「複製自由」、「一世代複製可」および「複製禁止」の３状態が識別される。
【０００６】
第１の従来技術として、非特許文献１に記載のＳＤＭＩ方式の電子透かしを利用した記録制御について説明する。メモリースティック（Ｒ）のオーディオ記録やＳＤオーディオは、このＳＤＭＩ記録制御方式に準拠している。
【０００７】
以下、ＳＤオーディオにおける非特許文献１記載の記録制御方式について説明する。ＳＤオーディオの記録は、記録対象がＳＤＭＩ保護コンテンツと非ＳＤＭＩ保護コンテンツの２つに大別される。ＳＤＭＩ保護コンテンツは、ＳＤＭＩ規格で認められた暗号などにより複製制御情報も含めて保護されている。したがってＳＤＭＩ保護コンテンツをＳＤオーディオ記録する場合には暗号化された複製制御情報にしたがう。一方、ＳＤＭＩ保護コンテンツ以外のコンテンツである非ＳＤＭＩ保護コンテンツの場合には、コンテンツに付属する複製制御情報があったとしても、改竄されている可能性もあるので、コンテンツに埋め込まれた電子透かしに含まれる複製制御情報を調べる必要がある。
【０００８】
以下、非ＳＤＭＩコンテンツをＳＤオーディオ記録する場合について説明する。
【０００９】
図１２は、第１の従来技術における電子透かしの検出タイミングを示す図である。電子透かしを検出するためには、１５秒のオーディオ信号を処理しなければならない。
【００１０】
図１３は、第１の従来技術における電子透かしを利用した記録装置のブロック図である。９０１はコンテンツ入力端子であり、９０２はコンテンツから電子透かしを検出する電子透かし検出手段であり、９０３はコンテンツを圧縮暗号化する手段であり、９０４はコンテンツを記録する記録手段である。記録手段９０４は、電子透かし検出手段９０２から複製禁止を示す制御信号が送信されてきた場合、当該コンテンツを、それまでに記録した部分も含めて消去する。
【００１１】
図１４は、図１３の電子透かし検出手段９０２において、コンテンツの電子透かしに基づいて制御信号を送信するための手順を示すフローチャートである。コンテンツ開始指示が受信されると（Ｓ３０１）、開始から１５秒以内に第１の電子透かし検出が開始され、開始から３０秒以内で１回目の電子透かし検出が完了する（Ｓ３０２）。第１の電子透かし検出の開始位置は、コンテンツ開始と同時でもよいし、コンテンツ開始から１５秒以内の適当な時点から開始してもよい。ＳＤオーディオの記録では、入力コンテンツは圧縮され、さらに暗号化されて記録される。図１４には示されていないが、この圧縮暗号化処理は図１３の圧縮暗号化手段９０３において電子透かし検出と同時に行われている。第１の電子透かし検出が終了すると、電子透かしが検出されたかどうかを確認する（Ｓ３０３）。Ｓ３０３で電子透かしが検出された場合には、検出された電子透かしが複製禁止を示しているかどうかを確認する（Ｓ３０７）。Ｓ３０７で、電子透かしが複製禁止を示していれば、そのコンテンツは複製禁止であるから、複製禁止の制御信号を圧縮暗号化手段９０３と記録手段９０４へ送信する（Ｓ３１０）。圧縮暗号化手段９０３は処理を停止し、記録手段９０４はそれまでに圧縮暗号化したコンテンツを削除する。また、たとえば、記録装置がＣＤプレーヤと同一筐体内でＳＤオーディオ記録をしている場合には、ＣＤの再生を次のコンテンツに移す、あるいは生成停止する等の制御をしてもよい。また、外部からコンテンツが入力されている場合には、コンテンツの入力を停止することはできないので、そのまま待ち状態に入ってもよい。一方、Ｓ３０７で電子透かしが複製禁止でないか、あるいはＳ３０３で電子透かしが検出されなかった場合には、４５秒以降の任意の位置まで待つ（Ｓ３０４）。そして、第２の電子透かし検出を行う（Ｓ３０５）。第２の電子透かし検出が終了すると、電子透かしが検出されたかどうかを確認する（Ｓ３０６）。Ｓ３０６で電子透かしが検出された場合には、検出された電子透かしが複製禁止を示しているかどうかを確認する（Ｓ３０８）。Ｓ３０８で電子透かしが複製禁止でなければ、そのコンテンツは複製してよい。したがって、複製許可の制御信号を圧縮暗号化手段９０３と記録手段９０４へ送信する（Ｓ３０９）。一方、Ｓ３０８で、電子透かしが複製禁止を示していれば、そのコンテンツは複製禁止であるから、複製禁止の制御信号を圧縮暗号化手段９０３と記録手段９０４へ送信する（Ｓ３１０）。一方、Ｓ３０６で電子透かしが検出されなかった場合には、そのコンテンツには電子透かしが埋め込まれておらず、複製してよいものと考える。したがって、複製許可の制御信号を圧縮暗号化手段９０３と記録手段９０４へ送信する（Ｓ３０９）。圧縮暗号化手段９０３と記録手段９０４はコンテンツの最後まで圧縮、暗号化を継続する。
【００１２】
以上のように、ＳＤオーディオにおいては非特許文献１記載の記録制御方式によって、著作権保護がなされている。
【００１３】
また従来、再生用ディスクに記録されている音楽データ等を、他の記録メディアに圧縮して記録する記録装置、あるいは記録メディアに記録されている音楽データを再生する再生装置として、たとえば、特許文献１に記載されたものがある。以下第２の従来技術として、この記録再生装置について説明する。
【００１４】
図１５は第２の従来技術における記録再生装置の構成を示すブロック図である。１００１は記録用のコンテンツを入力する記録コンテンツ入力端子、１００２はコンテンツ切り替え手段、１００３はコンテンツ切り替え手段１００２からの入力から電子透かしを検出する電子透かし検出手段、１００４は記録用のコンテンツを圧縮暗号化してＳＤメモリカード（図示せず）に記録する記録手段、１００５は、ＳＤメモリカード（図示せず）に記録されているコンテンツを復号伸張する再生手段、そして１００６は前記再生手段１００５の再生コンテンツを出力する再生コンテンツ出力端子である。コンテンツ切り替え手段１００２は記録コンテンツ入力端子１００１または再生手段１００５のどちらかのコンテンツを選択し、電子透かし検出手段１００３へ送る。また電子透かし検出手段１００３は記録手段１００４と再生手段１００５に制御信号を送信する。
【００１５】
記録再生装置（ＳＤオーディオ機器）から、一般のディジタルメディア（たとえばＭＤ、ＣＤ−Ｒなど）へのディジタル複製はできないよう、ディジタル出力は基本的に禁止されている。すなわち、ＳＤＭＩ保護コンテンツはＳＤオーディオ機器の範囲外では、複製禁止扱いとなる。したがって、第２の従来技術における記録再生装置は、ＳＤオーディオ記録する場合には、入力コンテンツの複製制御情報が複製禁止であるかどうかだけを判別し、一世代複製可、複製自由の区別は行わない。すなわち、全ての状態の電子透かしを検出する場合に比べて簡単な処理で済み、処理量を削減できる、というものである。
【特許文献１】特開２００５−１６６１８５号公報（第１頁）
【非特許文献１】「Ａｍｅｎｄｍｅｎｔ  ３  ｔｏ  ＳＤＭＩ  Ｐｏｒｔａｂｌｅ  Ｄｅｖｉｃｅ  Ｓｐｅｃｉｆｉｃａｔｉｏｎ、Ｐａｒｔ  １、ＶｅｒＳｉｏｎ  １．０」、ＳＥＣＵＲＥ  ＤＩＧＩＴＡＬ  ＭＵＳＩＣ  ＩＮＩＴＩＡＴＩＶＥ発行、２００１年６月５日改訂版
【発明の開示】
【発明が解決しようとする課題】
【００１６】
しかしながら、上記の従来の構成では、非ＳＤＭＩコンテンツを高倍速で記録する場合、圧縮暗号化処理の処理速度を上げると電子透かし検出の処理速度も上げなければならないという問題点を有していた。たとえば、６倍速でコンテンツを記録する場合には、６倍速で圧縮暗号化処理と電子透かし検出をする必要がある。電子透かし検出は１５秒分を２回行えば良いにもかかわらず６倍速で処理する必要があり電子透かし検出リソースの使用効率が悪い。
【００１７】
本発明は上記従来の問題点を解決するもので、高倍速記録をする場合であっても電子透かし検出を低速で行うことができる記録装置および再生装置を提供することを目的とする。
【課題を解決するための手段】
【００１８】
上述した課題を解決するために、本発明の記録装置は、コンテンツを再生する再生手段と、前記再生手段のコンテンツ出力を圧縮暗号化する圧縮暗号化手段と、前記再生手段のコンテンツ出力に基いて電子透かしの検出に必要な時間分のデータを抽出する電子透かし検出用データ抽出手段と、前記電子透かし検出用データ抽出手段の出力を格納する電子透かし検出用データ格納メモリと、前記電子透かし検出用データ格納メモリの出力に基いて電子透かしを検出する電子透かし検出手段と、前記電子透かし検出手段の出力に基いて前記圧縮暗号化手段の出力を記録媒体に記録する記録手段と、を有する。
【００１９】
また、本発明の記録装置は、コンテンツを再生しコンテンツからトラック長を抽出するコンテンツ再生手段と、前記コンテンツ再生手段のコンテンツ出力を圧縮暗号化する圧縮暗号化手段と、前記コンテンツ再生手段のコンテンツ出力に基いて電子透かしの検出に必要な時間分のデータを抽出する電子透かし検出用データ抽出手段と、前記電子透かし検出用データ抽出手段の出力を格納する電子透かし検出用データ格納メモリと、前記コンテンツ再生手段のトラック長出力と圧縮暗号化処理の速度と電子透かしの検出に必要な時間に基いて算出される速度で電子透かし検出用データ格納メモリの出力に基いて電子透かし検出を行う電子透かし検出手段と、前記電子透かし検出手段の出力に基いて前記圧縮暗号化手段の出力を記録媒体に記録する記録手段と、を有する。
【００２０】
また、本発明の再生装置は、コンテンツを再生する再生手段と、前記再生手段のコンテンツ出力に基いて電子透かしの検出に必要な時間分のデータを抽出する電子透かし検出用データ抽出手段と、前記電子透かし検出用データ抽出手段の出力を格納する電子透かし検出用データ格納メモリと、前記電子透かし検出用データ格納メモリの出力に基いて電子透かしを検出する電子透かし検出手段と、前記電子透かし検出手段の出力に基いて前記再生手段の動作を制御する制御手段と、を有する。
【００２１】
さらに、本発明の再生装置は、コンテンツを再生しコンテンツからトラック長を抽出するコンテンツ再生手段と、前記コンテンツ再生手段のコンテンツ出力に基いて電子透かしの検出に必要な時間分のデータを抽出する電子透かし検出用データ抽出手段と、前記電子透かし検出用データ抽出手段の出力を格納する電子透かし検出用データ格納メモリと、前記コンテンツ再生手段のトラック長出力と圧縮暗号化処理の速度と電子透かしの検出に必要な時間に基いて算出される速度で電子透かし検出用データ格納メモリの出力に基いて電子透かし検出を行う電子透かし検出手段と、前記電子透かし検出手段の出力に基いて前記コンテンツ再生手段の動作を制御する制御手段と、を有する。
【発明の効果】
【００２２】
以上のように本発明は、高倍速記録をする場合であっても電子透かし検出を低速で行うことができる記録装置および再生装置を提供することができるという優れた効果が得られる。
【発明を実施するための最良の形態】
【００２３】
以下に本発明の実施の形態を図面を参照して説明する。
（実施の形態１）
図１は本発明の実施の形態１における記録装置の構成を示すブロック図である。１０１はコンテンツの再生手段、１０２は再生手段１０１から出力されたデータから電子透かし検出用データを抽出する電子透かし検出用データ抽出手段、１０３は電子透かし検出用データを格納する電子透かし検出用データ格納メモリ、１０４は電子透かし検出手段である。再生手段１０１から出力されたデータは圧縮暗号化手段１０５で圧縮暗号化され、記録手段１０６で記録媒体に記録される。電子透かし検出手段１０４から複製禁止を示す制御信号が送信されてきた場合、圧縮暗号化手段１０５は、圧縮暗号化処理を停止する。また記録手段１０６は、当該コンテンツを、それまでに記録した部分も含めて消去する。
【００２４】
図２は本発明の実施の形態１における記録装置の電子透かし検出用データ抽出手段１０２と電子透かし手段１０４の動作を示すフローチャートである。以下、図２にしたがって説明する。再生手段１０１でコンテンツは高倍速再生され（Ｓ１０１）、電子透かし検出用データ抽出手段１０２と圧縮暗号化手段１０５に入力される。図２には示されていないが、圧縮暗号化手段１０５に入力されたデータは順次、圧縮暗号化処理され、記録手段１０６で記録媒体に記録される。一方、電子透かし検出用データ抽出手段１０２では、再生手段１０１で再生されたコンテンツの開始から１５秒以内の適当な位置まで待った後（Ｓ１０２）、第１の電子透かし検出用のデータを抽出し、電子透かし検出用データ格納メモリ１０３に格納する（Ｓ１０３）。電子透かし検出手段１０４では第１の電子透かし検出用データが電子透かし検出用データ格納メモリ１０３に格納され始めるまで待ち（Ｓ１０６）、第１の電子透かし検出用のデータが１５秒分格納され始めると同時に電子透かし検出手段１０４が読み出し、電子透かし検出を開始する（Ｓ１０７）。また電子透かし検出用データ抽出手段１０２では、並行してコンテンツの開始から４５秒以上の任意な開始点まで待ち（Ｓ１０４）、第２の電子透かし検出用のデータを電子透かし検出用データ抽出手段１０２で抽出して、電子透かし検出用データ格納メモリ１０３に格納する（Ｓ１０５）。Ｓ１０７で第１の電子透かし検出を行った結果、電子透かしが検出されたかどうかを確認する（Ｓ１０８）。Ｓ１０８で電子透かしが検出された場合には、検出された電子透かしが複製禁止を示しているかどうかを確認する（Ｓ１１２）。Ｓ１１２で複製禁止が検出された場合は、そのコンテンツは複製禁止であるから、複製禁止の制御信号を圧縮暗号化手段１０５と記録手段１０６へ送信する（Ｓ１１５）。圧縮暗号化手段１０５は処理を停止し、記録手段１０６はそれまでに圧縮暗号化したコンテンツを削除する。一方、Ｓ１１２で電子透かしが複製禁止でないか、あるいはＳ１０８で電子透かしが検出されなかった場合には、第２の電子透かし検出用データが電子透かし検出用データ格納メモリ１０３に格納されるまで待ち（Ｓ１０９）、電子透かし検出用データが格納され始めると同時に第２の電子透かし検出を行う（Ｓ１１０）。Ｓ１１０で第２の電子透かし検出を行った結果、電子透かしが検出されたかどうかを確認する（Ｓ１１１）。Ｓ１１１で電子透かしが検出された場合には、検出された電子透かしが複製禁止を示しているかどうかを確認する（Ｓ１１３）。Ｓ１１３で電子透かしが複製禁止でなければ、そのコンテンツは複製してよい。したがって、複製許可の制御信号を圧縮暗号化手段１０５と記録手段１０６へ送信する。（Ｓ１１４）。Ｓ１１３で複製禁止が検出された場合は、そのコンテンツは複製禁止であるから、複製禁止の制御信号を圧縮暗号化手段１０５と記録手段１０６へ送信する（Ｓ１１５）。圧縮暗号化手段１０５は処理を停止し、記録手段１０６はそれまでに圧縮暗号化したコンテンツを削除する。一方、Ｓ１１１で電子透かしが検出されなかった場合には、そのコンテンツには電子透かしが埋め込まれておらず、複製してよいものと考える。したがって、複製許可の制御信号を圧縮暗号化手段１０５と記録手段１０６へ送信する（Ｓ１１４）。
【００２５】
次に電子透かし検出手段１０４に必要な処理速度について説明する。例えばコンテンツを再生手段１０１で６倍速再生し、圧縮暗号化手段１０５で６倍速の圧縮暗号化処理を行い、記録手段１０６で６倍速録音をする場合について説明する。従来の方式では、コンテンツを６倍速録音する場合には、電子透かし検出用データを格納するためのメモリが無いため電子透かし検出は６倍速で処理する必要があった。一方、実施の形態１では、電子透かし検出用データ格納メモリ１０３にデータを格納するため必ずしも電子透かし検出手段１０４は６倍速で処理する必要は無い。
【００２６】
図３は６倍速記録再生の場合にコンテンツのトラック長（以下、「トラック長」という。）に対する電子透かし検出に必要な倍速を示す図である。以下に図３の電子透かし検出の速度の算出方法について述べる。電子透かし検出に必要な処理時間は圧縮暗号化処理に必要な処理時間以下であることを要する。ここで電子透かし検出の対象とする期間をＴ（秒）、電子透かし検出に必要な倍速数をＸ，トラック長をＳ（秒）、圧縮暗号化処理に必要な倍速数をＹとする。すると電子透かし検出に必要な処理時間はＴ／Ｘ（秒）、圧縮暗号化処理に必要な処理時間はＳ／Ｙ（秒）であるから、（Ｔ／Ｘ）＜＝（Ｓ／Ｙ）である。故にＸ＞＝Ｔ＊Ｙ／Ｓとなる。
【００２７】
具体的には、トラック長が１８０秒（Ｓ＝１８０）、圧縮暗号化手段１０５が６倍速（Ｙ＝６）であれば当該コンテンツを圧縮暗号化するのに１８０秒／６倍速＝３０秒かかる。一方、電子透かし検出に関しては当該コンテンツの圧縮暗号化が完了するまでに処理が終了していればよい。前記の１８０秒のトラック長であれば３０秒以内に電子透かし検出が終了していればいいことになる。電子透かし検出手段１０４で処理するデータは１５秒＋１５秒の合計３０秒分（Ｔ＝３０）である。すると、Ｘ＞＝１である。即ち、電子透かし検出手段１０４は１倍速で処理をすれば、３０秒／１倍速＝３０秒となり前記の圧縮暗号化の時間３０秒以内に処理が終了する。
【００２８】
トラック長が９０秒（Ｓ＝９０）、圧縮暗号化手段１０５が６倍速（Ｙ＝６）であればそのトラックを圧縮暗号化するのに９０秒／６倍速＝１５秒かかる。一方、電子透かし検出に関しては当該トラックの圧縮暗号化が完了するまでに処理が終了していればよい。前記の９０秒のトラック長であれば１５秒以内に電子透かし検出が終了していればいいことになる。電子透かし検出手段１０４で処理するデータは１５秒＋１５秒の合計３０秒分（Ｔ＝３０）である。すると、Ｘ＞＝２である。即ち、電子透かし検出手段１０４は２倍速で処理をすれば、３０秒／２倍速＝１５秒となり前記の圧縮暗号化の時間１５秒以内に処理が終了する。
【００２９】
トラック長が６０秒（Ｓ＝６０）、圧縮暗号化手段１０５が６倍速（Ｙ＝６）であればそのトラックを圧縮暗号化するのに６０秒／６倍速＝１０秒かかる。一方、電子透かし検出に関しては当該トラックの圧縮暗号化が完了するまでに処理が終了していればよい。前記の６０秒のトラック長であれば１０秒以内に電子透かし検出が終了していればいいことになる。電子透かし検出手段１０４で処理するデータは１５秒＋１５秒の合計３０秒分（Ｔ＝３０）である。すると、Ｘ＞＝３である。即ち、電子透かし検出手段１０４は３倍速で処理をすれば、３０秒／３倍速＝１０秒となり前記の圧縮暗号化の時間１０秒以内に処理が終了する。
【００３０】
トラック長が６０秒（Ｓ＝６０）未満で圧縮暗号化手段１０５が６倍速（Ｙ＝６）であればそのトラックを圧縮暗号化するのは６０秒／６倍速＝１０秒未満で終了する。一方、電子透かし検出に関しては当該トラックの圧縮暗号化が完了するまでに処理が終了していればよい。前記の６０秒未満のトラック長であれば１０秒未満で電子透かし検出が終了していればいいことになる。電子透かし検出手段１０４で処理するデータは、６０秒未満の場合は第１の電子透かし検出だけで良い。つまり１５秒分（Ｔ＝１５）である。すると、Ｘ＞＝１．５である。即ち、電子透かし検出手段１０４は２倍速で処理をすれば、１５秒／２倍速＝７．５秒となり前記の圧縮暗号化の時間１０秒未満で処理が終了する。
【００３１】
つまり、実施の形態１では電子透かし検出の検出手段の倍速は、コンテンツが９０秒未満６０秒以上の場合を考慮して３倍速で処理すれば良いことが分かる。
【００３２】
以上のように、従来の方式では電子透かし検出を圧縮暗号化処理と同じ処理速度にする必要があったが、実施の形態１では電子透かし検出用データ格納メモリ１０３にデータを格納することにより、電子透かし検出の処理を軽減することができる。
【００３３】
図４は本発明の実施の形態１における記録装置を含むシステム構成を示すブロック図である。コンパクトディスク２０１はＣＤドライブ２０２で６倍速再生され、記録装置２０３にデータが入力される。記録装置２０３では圧縮暗号化手段１０５で６倍速の圧縮暗号化処理が行われメモリカード２０４に圧縮オーディオデータが記録される。記録装置２０３では、入力されたデータに対して、電子透かし検出用データ抽出手段１０２で第１の電子透かし検出用データの抽出を行い、電子透かし検出用データメモリ１０３に格納する。格納されたデータは、電子透かし検出手段１０４にて読み出され３倍速で電子透かし検出が行われる。また電子透かし検出と並行して電子透かし検出用データ抽出手段１０２で第２の電子透かし検出用データの抽出を行い、電子透かし検出用データメモリ１０３に格納する。第１の電子透かし検出で複製禁止が検出された場合には、複製禁止の制御情報が圧縮暗号化手段１０５と記録手段１０６に送られる。圧縮暗号化手段１０５は処理を停止し、記録手段１０６はそれまでにメモリカード２０４に記録したコンテンツを削除する。第１の電子透かし検出で電子透かしが検出され複製禁止で無かった場合か、あるいは第１の電子透かし検出で電子透かしが検出されなかった場合には、電子透かし検出手段１０４にて３倍速で第２の電子透かし検出が行われる。第２の電子透かし検出で複製禁止が検出された場合には、複製禁止の制御情報が圧縮暗号化手段１０５と記録手段１０６に送る。圧縮暗号化手段１０５は処理を停止し、記録手段１０６はそれまでにメモリカード２０４に記録したコンテンツを削除する。第２の電子透かし検出で電子透かしが検出され、複製禁止で無かった場合には複製可能であるため、圧縮暗号化手段１０５と記録手段１０６に複製許可の制御信号を送る。第２の電子透かし検出で電子透かしが検出されなかった場合にも、複製可能であるため、圧縮暗号化手段１０５と記録手段１０６に複製許可の制御信号を送る。
【００３４】
なお、本実施の形態１では、圧縮暗号化手段１０５で圧縮暗号化されたデータは直接、記録手段１０６で記録媒体に記録されているが、圧縮暗号化手段１０５で圧縮暗号化されたデータを一旦格納するメモリを用意し、電子透かし検出手段１０４から複製許可の制御信号が送られた場合にのみ、前記メモリから圧縮暗号化データを読み出し記録手段１０６で記録媒体に記録する方法でも良い。
【００３５】
また、本実施の形態１では、ＣＰＲＭ、ＳＤＭＩ制御方式に準拠した記録装置での電子透かし検出について説明したが、ＣＰＲＭ、ＳＤＭＩ制御方式以外の他の制御方式に準拠した記録装置で高倍速記録をする場合の電子透かし検出についても同様である。
（実施の形態２）
図５は本発明の実施の形態２における記録装置の構成を示すブロック図である。１０２、１０３、１０５、１０６は図１と同様である。３０１はコンテンツの再生手段でありコンテンツのトラック長情報を出力する機能を有する。３０２は処理速度可変機能付き電子透かし検出手段でありトラック長情報に応じて処理速度を可変制御できる機能を持っている。
【００３６】
例えば６倍速の場合、実施の形態１ではコンテンツが９０秒未満６０秒以上の場合を考慮して３倍速で処理しなければいけなかったが、実施の形態２では事前にコンテンツのトラック長情報から電子透かしの倍速を決定することができるため、例えばコンテンツが１８０秒以上であれば電子透かし検出を１倍速で処理すれば良く、更に電子透かし検出を軽減することができる。
【００３７】
図６は、本発明の実施の形態２における記録装置の電子透かし検出用データ抽出手段１０２と電子透かし手段３０２の動作を示すフローチャートである。処理速度可変機能付き電子透かし検出手段３０２は、トラック長情報出力機能付き再生手段３０１から再生を行うコンテンツのトラック長情報を取得する（Ｓ２０１）。処理速度可変機能付き電子透かし検出手段３０２ではコンテンツのトラック長情報に応じて電子透かし検出に必要な処理速度を決定する（Ｓ２０２）。実施の形態１で説明した様に、例えば６倍速の場合、トラック長が１８０秒以上であれば１倍速、１８０秒未満９０秒以上または６０秒未満であれば２倍速、９０秒未満６０秒以上であれば３倍速、６０秒未満であれば２倍速の処理とする（図３参照）。コンテンツのトラック長情報の取得は、１曲毎に取得して再生しても良いし、再生する全曲分を予めまとめて取得しておいても良い。
【００３８】
次に、トラック長情報出力機能付き再生手段３０１でコンテンツは高倍速再生され（Ｓ２０３）、電子透かし検出用データ抽出手段１０２と圧縮暗号化手段１０５に入力される。図示していないが、圧縮暗号化手段１０５に入力されたデータは順次、圧縮暗号化処理され、記録手段１０６で記録媒体に記録される。一方、電子透かし検出用データ抽出手段１０２では、トラック長情報出力機能付き再生手段３０１で再生されたコンテンツの開始から１５秒以内の適当な位置まで待った後（Ｓ２０４）、第１の電子透かし検出用のデータを抽出し、電子透かし検出用データ格納メモリ１０３に格納する（Ｓ２０５）。処理速度可変機能付き電子透かし検出手段３０２では第１の電子透かし検出用データが電子透かし検出用データ格納メモリ１０３に格納され始めるまで待ち（Ｓ２０８）、第１の電子透かし検出用のデータが１５秒分格納され始めると同時に処理速度可変機能付き電子透かし検出手段３０２が読み出し、電子透かし検出を開始する（Ｓ２０９）。電子透かし検出の倍速は、Ｓ２０２で決定したコンテンツのトラック長情報に応じた倍速で処理すれば良い。また並行してコンテンツの開始から４５秒以上の任意な開始点まで待ち（Ｓ２０６）、第２の電子透かし検出用のデータを電子透かし検出用データ抽出手段１０２で抽出して、電子透かし検出用データ格納メモリ１０３に格納する（Ｓ２０７）。Ｓ２０９で第１の電子透かし検出を行った結果、電子透かしが検出されたかどうかを確認する（Ｓ２１０）。Ｓ２１０で電子透かしが検出された場合には、検出された電子透かしが複製禁止を示しているかどうかを確認する（Ｓ２１４）。Ｓ２１４で複製禁止が検出された場合は、そのコンテンツは複製禁止であるから、複製禁止の制御信号を圧縮暗号化手段１０５と記録手段１０６へ送信する（Ｓ２１７）。圧縮暗号化手段１０５は処理を停止し、記録手段１０６はそれまでに圧縮暗号化したコンテンツを削除する。一方、Ｓ２１４で電子透かしが複製禁止でないか、あるいはＳ２１０で電子透かしが検出されなかった場合には、第２の電子透かし検出用データが電子透かし検出用データ格納メモリ１０３に格納されるまで待ち（Ｓ２１１）、電子透かし検出用データが格納され始めると同時に第２の電子透かし検出を行う（Ｓ２１２）。電子透かし検出の倍速は、Ｓ２０２で決めたコンテンツのトラック長情報に応じた倍速で処理すれば良い。Ｓ２１２で第２の電子透かし検出を行った結果、電子透かしが検出されたかどうかを確認する（Ｓ２１３）。Ｓ２１３で電子透かしが検出された場合には、検出された電子透かしが複製禁止を示しているかどうかを確認する（Ｓ２１５）。Ｓ２１５で電子透かしが複製禁止でなければ、そのコンテンツは複製してよい。したがって、複製許可の制御信号を圧縮暗号化手段１０５と記録手段１０６へ送信する。（Ｓ２１６）。Ｓ２１５で複製禁止が検出された場合は、そのコンテンツは複製禁止であるから、複製禁止の制御信号を圧縮暗号化手段１０５と記録手段１０６へ送信する（Ｓ２１７）。圧縮暗号化手段１０５は処理を停止し、記録手段１０６はそれまでに圧縮暗号化したコンテンツを削除する。一方、Ｓ２１３で電子透かしが検出されなかった場合には、そのコンテンツには電子透かしが埋め込まれておらず、複製してよいものと考える。したがって、複製許可の制御信号を圧縮暗号化手段１０５と記録手段１０６へ送信する（Ｓ２１６）。
【００３９】
図７は本発明の実施の形態２における記録装置を含むシステム構成を示すブロック図である。まず、コンパクトディスク２０１をＣＤドライブ４０１で読み取り、再生するコンテンツのトラック長情報を取得する。取得した情報は、処理速度可変機能付き電子透かし検出手段３０２に入力される。処理速度可変機能付き電子透かし検出手段３０２では、取得したコンテンツのトラック長情報により、電子透かし検出の処理速度を決定する。６倍速再生の場合、トラック長が１８０秒以上であれば１倍速、１８０秒未満９０秒以上または６０秒未満であれば２倍速、９０秒未満６０秒以上であれば３倍速、６０秒未満であれば２倍速の処理速度とする（図３参照）。次にＣＤドライブ４０１でコンパクトディスク２０１は６倍速再生され、記録装置４０２にデータが入力される。記録装置４０２では６倍速の圧縮暗号化処理が行われメモリカード２０４に圧縮オーディオデータが記録される。
【００４０】
記録装置４０２では、入力されたデータに対して、電子透かし検出用データ抽出手段１０２で第１の電子透かし検出用データの抽出を行い、電子透かし検出用データメモリ１０３に格納する。格納されたデータは、処理速度可変機能付き電子透かし検出手段３０２にて事前に決定した処理速度で電子透かし検出を行う。また並行して電子透かし検出用データ抽出手段１０２で第２の電子透かし検出用データの抽出を行い、電子透かし検出用データメモリ１０３に格納する。第１の電子透かし検出で複製禁止が検出された場合には、複製禁止の制御情報が圧縮暗号化手段１０５と記録手段１０６に送られる。圧縮暗号化手段１０５は処理を停止し、記録手段１０６はそれまでにメモリカード２０４に記録したコンテンツを削除する。第１の電子透かし検出で電子透かしが検出され複製禁止で無かった場合か、あるいは第１の電子透かし検出で電子透かしが検出されなかった場合には、処理速度可変機能付き電子透かし検出手段３０２にて第２の電子透かし検出が行われる。第２の電子透かし検出で複製禁止が検出された場合には、複製禁止の制御情報を圧縮暗号化手段１０５と記録手段１０６に送る。圧縮暗号化手段１０５は処理を停止し、記録手段１０６はそれまでにメモリカード２０４に記録したコンテンツを削除する。第２の電子透かし検出で電子透かしが検出され、複製禁止で無かった場合には複製可能であるため、圧縮暗号化手段１０５と記録手段１０６に複製許可の制御信号を送る。第２の電子透かし検出で電子透かしが検出されなかった場合にも、複製可能であるため、圧縮暗号化手段１０５と記録手段１０６に複製許可の制御信号を送る。
【００４１】
なお、本実施の形態２では、圧縮暗号化手段１０５で圧縮暗号化されたデータは直接、記録手段１０６で記録媒体に記録されているが、圧縮暗号化手段１０５で圧縮暗号化されたデータを一旦格納するメモリを用意し、電子透かし検出手段１０４から複製許可の制御信号が送られた場合にのみ、前記メモリから圧縮暗号化データを読み出し記録手段１０６で記録媒体に記録する方法でも良い。
【００４２】
また、本実施の形態２では、ＣＰＲＭ、ＳＤＭＩ制御方式に準拠した記録装置での電子透かし検出について説明したが、ＣＰＲＭ、ＳＤＭＩ制御方式以外の他の制御方式に準拠した記録装置で高倍速記録をする場合の電子透かし検出についても同様である。
（実施の形態３）
図８は本発明の実施の形態３における再生装置の構成を示すブロック図である。１０２、１０３、１０４は図１と同様である。再生手段５０１から出力された再生データは、再生データ出力端子５０２から再生装置５０４の外部に出力される。また、電子透かし検出手段１０４では再生手段５０１より出力された再生データから電子透かし検出を行い、複製禁止あるいは複製許可の制御信号を再生手段５０１に出力し、制御信号が複製禁止の場合には再生手段５０１で再生を停止する。また、複製禁止あるいは複製許可の制御信号は、再生装置５０４の外部に出力することもできる（図示せず）。
【００４３】
実施の形態３における電子透かし検出用データ抽出手段１０２と電子透かし手段１０４の動作を示すフローチャートは、図２と同じである。図２で実施の形態３の動作を説明する。再生手段５０１でコンテンツは高倍速再生され（Ｓ１０１）、電子透かし検出用データ抽出手段１０２へ入力されると同時に再生データ出力端子５０２から再生装置５０４の外部へ出力される。電子透かし検出用データ抽出手段１０２では、再生手段５０１で再生されたコンテンツの開始から１５秒以内の適当な位置まで待った後（Ｓ１０２）、第１の電子透かし検出用のデータを抽出し、電子透かし検出用データ格納メモリ１０３に格納する（Ｓ１０３）。電子透かし検出手段１０４では第１の電子透かし検出用データが電子透かし検出用データ格納メモリ１０３に格納され始めるまで待ち（Ｓ１０６）、第１の電子透かし検出用のデータが１５秒分格納されると同時に電子透かし検出手段１０４が読み出し、電子透かし検出を開始する（Ｓ１０７）。また並行してコンテンツの開始から４５秒以上の任意な開始点まで待ち（Ｓ１０４）、第２の電子透かし検出用のデータを電子透かし検出用データ抽出手段１０２で抽出して、電子透かし検出用データ格納メモリ１０３に格納する（Ｓ１０５）。Ｓ１０７で第１の電子透かし検出を行った結果、電子透かしが検出されたかどうかを確認する（Ｓ１０８）。Ｓ１０８で電子透かしが検出された場合には、検出された電子透かしが複製禁止を示しているかどうかを確認する（Ｓ１１２）。Ｓ１１２で複製禁止が検出された場合は、そのコンテンツは複製禁止であるから、複製禁止の制御信号を再生手段５０１に送る。また、複製禁止の制御信号は、再生装置５０４の外部に出力することもできる（図示せず）。一方、Ｓ１１２で電子透かしが複製禁止でないか、あるいはＳ１０８で電子透かしが検出されなかった場合には、第２の電子透かし検出用データが電子透かし検出用データ格納メモリ１０３に格納されるまで待ち（Ｓ１０９）、電子透かし検出用データが格納され始めると同時に第２の電子透かし検出を行う（Ｓ１１０）。Ｓ１１０で第２の電子透かし検出を行った結果、電子透かしが検出されたかどうかを確認する（Ｓ１１１）。Ｓ１１１で電子透かしが検出された場合には、検出された電子透かしが複製禁止を示しているかどうかを確認する（Ｓ１１３）。Ｓ１１１で電子透かしが検出されなかった場合またはＳ１１３で電子透かしが複製禁止でなければ、そのコンテンツは複製してよい。したがって、複製許可の制御信号を再生手段５０１に送る（Ｓ１１４）。また、複製許可の制御信号は、再生装置５０４の外部に出力することもできる（図示せず）。Ｓ１１３で複製禁止が検出された場合は、そのコンテンツは複製禁止であるから、複製禁止の制御信号を再生手段５０１へ送る（Ｓ１１５）。また、複製禁止の制御信号は、再生装置５０４の外部に出力することもできる（図示せず）。
【００４４】
図９は本発明の実施の形態３における再生装置を含むシステム構成を示すブロック図である。再生装置５０４で高倍速再生されたデータは記録装置６０６で圧縮暗号化処理されメモリカード２０４に圧縮オーディオデータとして記録される。再生装置５０４では、コンパクトディスク２０１をスピンドルモータ６０１で高倍速に回転させ、コンパクトディスク２０１に記録された信号を光ピックアップ６０２で読み取る。スピンドルモータ６０１と光ピックアップ６０２は機構制御部６０３で駆動し制御される。光ピックアップ６０２から出力されたデータは、信号処理部６０４で復調や誤り訂正が行われ再生データとして再生データ出力端子５０２より記録装置６０６に出力される。電子透かし検出手段１０４で検出された複製禁止あるいは複製許可の制御信号は制御マイコン６０５に入力され、複製禁止の場合には機構制御部６０３に対して再生を停止するための制御信号を出力し、再生データ出力端子５０２からの再生データの出力を停止させる。
【００４５】
また、複製禁止あるいは複製許可の制御信号は記録装置６０６に出力することもできる（図示せず）。記録装置６０６が複製禁止の制御情報を受信した場合には、圧縮暗号化処理を停止し、それまで記録したコンテンツを削除する。
【００４６】
再生データ出力端子５０２から出力される高倍速の再生データを記録装置６０６へ出力することにより、高倍速の記録システムが可能である。
【００４７】
実施の形態３における再生装置を用いることにより、外部の記録装置では高倍速の圧縮暗号化処理機能を備えるだけで良いというメリットがある。
【００４８】
また、実施の形態３では、ＣＰＲＭ、ＳＤＭＩ制御方式に準拠した再生装置での電子透かし検出について説明したが、ＣＰＲＭ、ＳＤＭＩ制御方式以外の他の制御方式に準拠した再生装置で高倍速記録をする場合の電子透かし検出についても同様である。
（実施の形態４）
図１０は本発明の実施の形態４における再生装置の構成を示すブロック図である。１０２、１０３、３０２、５０２は図１、図５、図８と同様である。７０１はコンテンツの再生手段でありコンテンツのトラック長情報を出力する機能を有する。３０２は処理速度可変機能付き電子透かし検出手段でありトラック長情報に応じて処理速度を可変制御できる機能を持っている。
【００４９】
実施の形態４における電子透かし検出用データ抽出手段１０２と電子透かし手段３０２の動作を示すフローチャートは、図６と同じである。図６で実施の形態４の動作を説明する。まず処理速度可変機能付き電子透かし検出手段３０２は、トラック長情報出力機能付き再生手段７０１から再生を行うコンテンツのトラック長情報を取得する（Ｓ２０１）。処理速度可変機能付き電子透かし検出手段３０２ではコンテンツのトラック長情報に応じて電子透かし検出に必要な処理速度を決定する（Ｓ２０２）。実施の形態１で説明した様に、例えば６倍速の場合、トラック長が１８０秒以上であれば１倍速、１８０秒未満９０秒以上または６０秒未満であれば２倍速、９０秒未満６０秒以上であれば３倍速、６０秒未満であれば２倍速の処理速度とする（図３参照）。コンテンツのトラック長情報の取得は、１曲毎に取得して再生しても良いし、再生する全曲分を予めまとめて取得しておいても良い。次に、トラック長情報出力機能付き再生手段７０１でコンテンツは高倍速再生され（Ｓ２０３）、電子透かし検出用データ抽出手段１０２と圧縮暗号化手段１０５に入力される。電子透かし検出用データ抽出手段１０２では、トラック長情報出力機能付き再生手段７０１で再生されたコンテンツの開始から１５秒以内の適当な位置まで待った後（Ｓ２０４）、第１の電子透かし検出用のデータを抽出し、電子透かし検出用データ格納メモリ１０３に格納する（Ｓ２０５）。処理速度可変機能付き電子透かし検出手段３０２では第１の電子透かし検出用データが電子透かし検出用データ格納メモリ１０３に格納され始めるまで待ち（Ｓ２０８）、電子透かし検出用データ格納メモリ１０３に格納されたデータは第１の電子透かし検出用のデータが格納され始めると同時に処理速度可変機能付き電子透かし検出手段３０２が読み出し、電子透かし検出を開始する（Ｓ２０９）。電子透かし検出の倍速は、Ｓ２０２で決定したコンテンツのトラック長情報に応じた倍速で処理すれば良い。また並行してコンテンツの開始から４５秒以上の任意な開始点まで待ち（Ｓ２０６）、第２の電子透かし検出用のデータを電子透かし検出用データ抽出手段１０２で抽出して、電子透かし検出用データ格納メモリ１０３に格納する（Ｓ２０７）。Ｓ２０９で第１の電子透かし検出を行った結果、電子透かしが検出されたかどうかを確認する（Ｓ２１０）。Ｓ２１０で電子透かしが検出された場合には、検出された電子透かしが複製禁止を示しているかどうかを確認する（Ｓ２１４）。Ｓ２１４で複製禁止が検出された場合は、そのコンテンツは複製禁止であるから、複製禁止の制御情報を、トラック長情報出力機能付き再生手段７０１に送る（Ｓ２１７）。また、複製禁止の制御信号は、再生装置７０２の外部に出力することもできる（図示せず）。一方、Ｓ２１４で電子透かしが複製禁止でないか、あるいはＳ２１０で電子透かしが検出されなかった場合には、第２の電子透かし検出用データが電子透かし検出用データ格納メモリ１０３に格納されるまで待ち（Ｓ２１１）、電子透かし検出用データが格納され始めると同時に第２の電子透かし検出を行う（Ｓ２１２）。電子透かし検出の倍速は、Ｓ２０２でコンテンツのトラック長情報に応じた倍速で処理すれば良い。Ｓ２１２で第２の電子透かし検出を行った結果、電子透かしが検出されたかどうかを確認する（Ｓ２１３）。Ｓ２１３で電子透かしが検出された場合には、検出された電子透かしが複製禁止を示しているかどうかを確認する（Ｓ２１５）。一方、Ｓ２１３で電子透かしが検出されなかった場合には、そのコンテンツには電子透かしが埋め込まれておらず、複製してよいものと考える。Ｓ２１５で電子透かしが複製禁止でなければ、そのコンテンツは複製してよい。したがって、複製許可の制御信号をトラック長情報出力機能付き再生手段７０１に送る（Ｓ２１６）。また、複製許可の制御信号は、再生装置７０２の外部に出力することもできる（図示せず）。Ｓ２１５で複製禁止が検出された場合は、そのコンテンツは複製禁止であるから、複製禁止の制御信号をトラック長情報出力機能付き再生手段７０１に送る（Ｓ２１７）。また、複製禁止の制御信号は、再生装置７０２の外部に出力することもできる（図示せず）。
【００５０】
図１１は本発明の実施の形態４における再生装置を含むシステム構成を示すブロック図である。再生装置７０２で高倍速再生されたデータは記録装置６０６で圧縮暗号化処理されメモリカード２０４に圧縮オーディオデータとして記録される。再生装置７０２では、コンパクトディスク２０１をスピンドルモータ６０１で回転させ、コンパクトディスク２０１に記録されたトラック長情報を光ピックアップ６０２で読み取る。読み取ったトラック長情報は制御マイコン８０１から、処理速度可変機能付き電子透かし検出手段３０２へ入力され、電子透かし検出の処理速度が決定される。次に、コンパクトディスク２０１をスピンドルモータ６０１で高倍速に回転させ、コンパクトディスク２０１に記録された信号を光ピックアップ６０２で読み取る。スピンドルモータ６０１と光ピックアップ６０２は機構制御部６０３で駆動し制御される。光ピックアップ６０２から出力されたデータは、信号処理部６０４で復調や誤り訂正が行われ再生データとして再生データ出力端子５０２より記録装置６０６に出力される。処理速度可変機能付き電子透かし検出手段３０２で検出された複製禁止あるいは複製許可の制御信号は制御マイコン８０１に入力され、複製禁止の場合には機構制御部６０３に対して再生を停止するための制御信号を出力し、再生データ出力端子５０２からの再生データの出力を停止させる。
【００５１】
また、複製禁止あるいは複製許可の制御信号は制御マイコン８０１から記録装置６０６に出力することもできる（図示せず）。記録装置６０６が複製禁止の制御情報を受信した場合には、圧縮暗号化処理を停止し、それまで記録したコンテンツを削除する。
【００５２】
以上のように、再生データ出力端子５０２から出力される高倍速の再生データを記録装置６０６へ出力することにより、高倍速の記録システムが可能である。
【００５３】
実施の形態４における再生装置を用いることにより、外部の記録装置では高倍速の圧縮暗号化処理機能を備えるだけで良いというメリットがある。
【００５４】
また、実施の形態４では、ＣＰＲＭ、ＳＤＭＩ制御方式に準拠した再生装置での電子透かし検出について説明したが、ＣＰＲＭ、ＳＤＭＩ制御方式以外の他の制御方式に準拠した再生装置で高倍速記録をする場合の電子透かし検出についても同様である。
【産業上の利用可能性】
【００５５】
本発明の記録装置および再生装置は、高倍速記録をする場合であっても電子透かし検出を低速で行うことができるという優れた効果を有しているため、ディジタルコンテンツを高倍速で記録または再生する装置等において有用である。
【図面の簡単な説明】
【００５６】
【図１】本発明の実施の形態１における記録装置の構成を示すブロック図
【図２】本発明の実施の形態１における記録装置の電子透かし検出用データ抽出手段１０２と電子透かし手段１０４の動作を示すフローチャート
【図３】６倍速記録再生の場合にコンテンツのトラック長に対する電子透かし検出に必要な倍速を示す図
【図４】本発明の実施の形態１における記録装置を含むシステム構成を示すブロック図
【図５】本発明の実施の形態２における記録装置の構成を示すブロック図
【図６】本発明の実施の形態２における記録装置の電子透かし検出用データ抽出手段１０２と電子透かし手段３０２の動作を示すフローチャート
【図７】本発明の実施の形態２における記録装置を含むシステム構成を示すブロック図
【図８】本発明の実施の形態３における再生装置の構成を示すブロック図
【図９】本発明の実施の形態３における再生装置を含むシステム構成を示すブロック図
【図１０】本発明の実施の形態４における再生装置の構成を示すブロック図
【図１１】本発明の実施の形態４における再生装置を含むシステム構成を示すブロック図
【図１２】第１の従来技術における電子透かしの検出タイミングを示す図
【図１３】第１の従来技術における記録装置を示すブロック図
【図１４】第１の従来技術における記録装置の電子透かし検出手段の動作を示すフローチャート
【図１５】第２の従来技術における電子透かしを利用した記録再生装置のブロック図
【符号の説明】
【００５７】
１０１、５０１    再生手段
１０２    電子透かし検出用データ抽出手段
１０３    電子透かし検出用データ格納メモリ
１０４    電子透かし検出手段
１０５、６０７    圧縮暗号化手段
１０６、６０８    記録手段
２０１    コンパクトディスク
２０２、４０１    ＣＤドライブ
２０３、４０２、６０６    記録装置
２０４    メモリカード
３０１、７０１    トラック長情報出力機能付き再生手段
３０２    処理速度可変機能付き電子透かし検出手段
５０２    再生データ出力端子
５０４、７０２    再生装置
６０１    スピンドルモータ
６０２    光ピックアップ
６０３    機構制御部
６０４    信号処理部
６０５、８０１    制御マイコン
【図１】
2008204577.tif 000003
【図２】
2008204577.tif 000004
【図３】
2008204577.tif 000005
【図４】
2008204577.tif 000006
【図５】
2008204577.tif 000007
【図６】
2008204577.tif 000008
【図７】
2008204577.tif 000009
【図８】
2008204577.tif 000010
【図９】
2008204577.tif 000011
【図１０】
2008204577.tif 000012
【図１１】
2008204577.tif 000013
【図１２】
2008204577.tif 000014
【図１３】
2008204577.tif 000015
【図１４】
2008204577.tif 000016
【図１５】
2008204577.tif 000017